【事件の表示】
　特願２０００−２５４１３２「冷蔵庫及びその制御方法」拒絶査定不服審判事件〔平成１４年　３月　８日出願公開、特開２００２−　７１２５４〕について、次のとおり審決する。
【結　論】
　本件審判の請求は、成り立たない。
【理　由】
１．手続の経緯・本願発明
　本願は、平成１２年８月２４日の出願であって、平成１９年５月２３日付けで拒絶査定がなされ（平成１９年５月２９日発送）、これに対し、平成１９年６月２８日に拒絶査定不服審判の請求がなされたものであって、その請求項１に係る発明は、平成１８年４月７日付け手続補正書により補正された明細書及び図面の記載からみて、その特許請求の範囲の請求項１に記載された事項により特定される次のとおりのものである（以下「本願発明」という）。
　
「圧縮機、凝縮器、切替弁が順次接続され、この切替弁には、冷蔵室蒸発器と冷凍室蒸発器とが、各々絞り機構を介して並列に接続された冷凍サイクルを有し、前記各蒸発器には庫内に冷気循環を行う冷蔵室冷却ファンと冷凍室冷却ファンがそれぞれ配置され、
　前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行える冷蔵庫において、
　前記冷蔵庫の制御手段が前記圧縮機を停止させるときは、
前記切替弁を全閉状態とすることによって前記冷蔵室蒸発器側と前記冷凍室蒸発器側の両冷媒流路を遮断し、
　その遮断後に前記圧縮機を停止させ、
　前記圧縮機を停止してから所定時間経過後であって、次回の起動までに、前記切替弁によって前記冷蔵室蒸発器側に冷媒流路を切替えることを特徴とする冷蔵庫。」
　
２．引用例の記載事項
（１）　これに対して、原査定の拒絶の理由で引用した、特開２０００−１２１１７８号公報（以下「引用例１」という）には、次の事項が図面とともに記載されている。
　　
　ア　「【課題を解決するための手段】この目的を達成するために本発明の冷却サイクル及び冷蔵庫は、低圧容器型である能力可変型圧縮機と凝縮器と流路制御手段と第一の減圧手段と第一の蒸発器と第二の減圧手段と第二の蒸発器とを備え、能力可変型圧縮機と凝縮器と第一の減圧手段と第一の蒸発器とで閉ループを形成するとともに、第一の減圧手段と第一の蒸発器に並列となるように第二の減圧手段と第二の蒸発器とを接続してある。また、前記流路制御手段を第一の減圧手段と第二の減圧手段の入口側に配設するとともに、冷媒として可燃性冷媒を封入していることを特徴とする。・・・（中略）・・・。
　さらに、流路制御手段が第一の蒸発器への冷媒回路を開放する第一の位置と第二の蒸発器への冷媒回路を開放する第二の位置と冷媒回路を遮断する第三の位置を備え、圧縮機停止時には第三の位置となり冷媒移動を防止することを特徴とする。」（段落【００３６】〜【００４１】）
　　
　イ　「また、第一の蒸発器と第二の蒸発器を交互に切り替えて冷却を行うので、一つの蒸発器で冷却を行う冷凍システムや、複数の蒸発器に平行して冷媒を流して冷却を行う冷凍システムに比べて、冷却システムの配管容量が削減でき、冷媒量が削減可能となる。」（段落【００５４】）
　　
　ウ　「さらに、流路制御手段は二回路切替のためシンプルで低コストである。請求項６に記載の発明は、流路制御手段が第一の蒸発器への冷媒回路を開放する第一の位置と第二の蒸発器への冷媒回路を開放する第二の位置と冷媒回路を遮断する第三の位置を備え、圧縮機停止時には第三の位置となり冷媒移動を防止することを特徴とするので、各々蒸発器を切り替える場合は流路制御手段の第一の位置と第二の位置で行い、圧縮機停止時は第三の位置で高低圧ガスカットを行う。これにより、停止中にいずれの蒸発器にも冷媒をため込まないので、次回圧縮機起動時に第一、第二の蒸発器いずれにもすぐに冷媒供給が可能であり、起動ロスが少ない。また、停止中に高温のガス冷媒がいずれの蒸発器へも流入しないので熱負荷の流入を防止できる。」（段落【００６１】〜【００６３】）
　　
　エ　「またなお、第一の蒸発器３が高温側で第二の蒸発器５が低温側であり、・・・電動三方弁１３を圧縮機１２停止中は第二の蒸発器５への冷媒回路を閉止させるならば、圧縮機１２停止中に凝縮器２にあった高温のガス冷媒が第二の蒸発器５へ流入することがなく、熱負荷の流入がない。また、停止中に冷却システムの圧力が低くバランスするので圧縮機１２起動時の圧力差が小さく、圧縮機モーターの低トルク化による低コスト、小型化が可能である。」（段落【００９５】〜【００９７】）
　　　
　オ　「また、次回起動時に第一の蒸発器３から運転する場合は、冷媒が使用しない第二の蒸発器５内にはほとんどなく、使用する第一の蒸発器３内に存在しているので、すぐに使用する第一の蒸発器３の温度が低下し、冷却ロスが少ない。」（段落【００９８】）
　　　　
　カ　「また、冷蔵室４と冷凍室６には図示しない室内温度を検知する、例えばサーミスタである温度検知手段を設けてあり、能力可変型圧縮機１２と電動三方弁１３と第一の電動ファン２３と第二の電動ファン２４とを制御する図示しない制御手段とを備えている。」（段落【０１２０】）
　　
　キ　「第一の電動ファン２３の作動により冷蔵室４内の空気が積極的に第一の蒸発器３と熱交換することで、冷媒は第一の蒸発器３内で蒸発気化する。気化した冷媒は、再び、圧縮機１２に吸入される。熱交換された空気はより低温の空気となり、室内の温度を下げる。」（段落【０１２４】）
　　
　ク　「第二の電動ファン２３の作動により冷凍室６が冷却されて、・・・。」（段落【０１３３】）
　
　上記記載を検討する。記載アによると、能力可変型圧縮機と凝縮器と流路制御手段が順次接続され、流路制御手段に第一の減圧手段と第一の蒸発器、及び第二の減圧手段と第二の蒸発器とが並列となるよう接続された冷却サイクルをもつ冷蔵庫が把握できる。
　　　
　そして、記載イによると、これら第一の蒸発器と第二の蒸発器を交互に切り替えて冷却を行うことが記載され、記載ア、ウによると、流路制御手段が第一の蒸発器への冷媒回路を開放する第一の位置と第二の蒸発器への冷媒回路を開放する第二の位置と冷媒回路を遮断する第三の位置を備え、圧縮機停止時には第三の位置となり両方の冷媒回路を遮断して冷媒移動を防止することが理解できる。
　　　
　また、記載エによると、第一の蒸発器３と第二の蒸発器５の一方を遮断して圧縮機１２を停止させる場合に、低温側の第二の蒸発器５側を閉じ、高温側の第一の蒸発器３側を開いておけば、低温側への熱負荷の流入を避けることができることが把握できる。
　　　
　さらに、記載カ〜クによると、冷蔵庫の冷蔵室４を第一の電動ファン２３と第一の蒸発器３とで冷却することと、冷凍室６を第二の電動ファン２４と第二の蒸発器５とで冷却することが記載され、また、この冷蔵庫が、能力可変型圧縮機１２、電動三方弁１３、第一の電動ファン２３及び第二の電動ファン２４を制御する制御手段を備えていることが理解できる。
　
　記載事項エ、オについてのものを除いた上記記載事項及び図示内容を総合し、本願発明の記載ぶりに則って整理すると、引用例１には次の発明（以下「引用発明」という）が記載されている。
　　　
「能力可変型圧縮機と凝縮器と流路制御手段が順次接続され、この流路制御手段には、冷蔵室用の第一の蒸発器と冷凍室用の第二の蒸発器とが、各々減圧手段を介して並列に接続された冷却サイクルを有し、
　前記各蒸発器には庫内を冷却する冷蔵室用の第一の電動ファンと冷凍室用の第二の電動ファンがそれぞれ配置され、
　前記冷蔵室用の第一の蒸発器、または、前記冷凍室用の第二の蒸発器への冷媒回路を前記流路制御手段によって交互に切替えることによって、冷蔵室と冷凍室とを交互に冷却できる冷蔵庫において、
　前記冷蔵庫の制御手段が前記能力可変型圧縮機を停止させるときは、
前記流路制御手段を第三の位置とすることによって前記冷蔵室用の第一の蒸発器側と、前記冷凍室用の第二の蒸発器側の両冷媒回路を遮断し、
　前記能力可変型圧縮機を停止させる冷蔵庫。」
　
（２）　同じく原査定の拒絶の理由で引用した、特開平９−３１８１６５号公報（以下「引用例２」という）には、次の事項が図面とともに記載されている。
　　　
　ア　「【従来の技術】従来の電気冷蔵庫の基本的な冷蔵サイクルは、ガス冷媒を圧縮する圧縮機と、外部に放熱して液化する凝縮器と、減圧して低温の液冷媒にするキャピラリチューブと、冷蔵庫の内部で熱を吸収し液冷媒をガス化する蒸発器で構成されており、冷媒がこれらの圧縮機、凝縮器、キャピラリチューブ、蒸発器を循環することにより冷凍庫及び冷蔵庫内を冷却している。また、冷凍室あるいは冷蔵室を一定温度に保つため、通常、圧縮機は断続的に運転されている。しかし、圧縮機停止時には、凝縮器内の高温ガス冷媒がキャピラリチューブを通り蒸発器内に流入し、蒸発器の温度を上昇させて蒸発器周囲の空気を加熱するため、熱負荷が増加し、消費電力量が増加する問題があった。こうした問題を解決する方法として例えば特開昭５９−１３８５９号公報に示されるものがある。この公知例を図４を用いて説明する。図４では、圧縮機１、凝縮器２、キャピラリチューブ３、蒸発器４が順次、連設されている冷凍サイクルで、凝縮器２とキャピラリチューブ３の間に二方電磁弁５が設置されている。二方電磁弁５は圧縮機が運転されている間は開状態となっており、冷蔵庫内が十分に冷却され、圧縮機の運転が停止されると、瞬時に閉状態になる。これにより凝縮器内の高温ガス冷媒が蒸発器内に侵入するのを防止できるわけであるが、但し、圧縮機が再起動する際に圧縮機の吸込側と吐出側とに圧力差があり、モータのトルク不足で起動できない可能性があるため、必要により圧縮機の運転直前に二方電磁弁５を数分間開状態にし、高温ガス冷媒の蒸発器内への流入を最少限に抑えていた。」（段落【０００２】〜【０００５】）
　　
　イ　「また、図１中で周囲温度が３０℃以上で４０℃未満の場合、電磁弁を圧縮機始動の数分前に開状態にし、圧縮機の吸込側と吐出側で圧力差を始動可能な範囲まで小さくした上で、２個の運転用コンデンサ（第１及び第２）に通電して運転する。安定後は運転用コンデンサは１個（第１）のみ通電される。具体的な制御方法を図３を用いて説明する。図３は冷蔵庫の周囲温度３０℃以上４０℃未満に於ける制御のタイムチャート図である。圧縮機停止状態で、冷蔵室温度センサの検出温度が−１７．５℃以上になった時点で、まず電磁弁を開状態に切り替える。このとき冷蔵庫に具備した遅延タイマを作動させ、３分後に圧縮機を高トルクで始動する。これは、高トルク運転であっても周囲温度が３０℃以上の場合、圧縮機の吸込側と吐出側で圧力差が大きく始動できない可能性があるためであり、３分間で圧力差を低減し、高トルク運転で確実に始動する。」（段落【００１８】）
　
　そして、図３のタイミングチャートには、圧縮機停止から所定時間経ち、冷凍室温度センサが−１９℃以下から−１７．５℃まで昇温した時点で電磁弁５を開いて蒸発器４に冷媒を流入させて圧力差を低減し、３分後に圧縮機を再起動することが開示されている。
　
　記載アによると、圧縮機１、凝縮器２、二方電磁弁５、キャピラリチューブ３、蒸発器４が順次、連設されている電気冷蔵庫の冷凍サイクルにおいて、冷凍室あるいは冷蔵室を一定温度に保つため、圧縮機を断続的に運転するにあたり、圧縮機の運転停止時に、凝縮器内の高温ガス冷媒が蒸発器内に侵入するのを防止するため、二方電磁弁５を瞬時に閉状態とするとともに、圧縮機が再起動する際に、モータのトルク不足で起動できないことのないように、圧縮機の運転直前に二方電磁弁５を数分間開状態にして冷媒を移動させ、圧縮機の吸込側と吐出側との圧力差を低減することが理解できる。
　　
　また、記載イ及び図３によると、前記の点について、具体例が記載されており、冷蔵室（冷凍室）温度が−１９℃に下がった時点で電磁弁を閉じ、圧縮機を停止し、その後所定時間が経過して冷蔵室（冷凍室）温度が上がり、−１７．５℃となった時点で電磁弁を開いて蒸発器４に冷媒を流入させて圧力差を低減し、電磁弁開放から３分後に圧縮機を再起動することが示されている。
　
３．対比
　そこで、本願発明と引用発明とを対比すると、各文言の意味、機能または作用等からみて、引用発明の「能力可変型圧縮機」は、本願発明の「圧縮機」に相当し、以下同様に、「流路制御手段」は「切替弁」に、「冷蔵室用の第一の蒸発器」は「冷蔵室蒸発器」に、「冷凍室用の第二の蒸発器」は「冷凍室蒸発器」に、「減圧手段」は「絞り機構」に、「冷却サイクル」は「冷凍サイクル」に、「庫内を冷却する」は「庫内に冷気循環を行う」に、「冷蔵室用の第一の電動ファン」は「冷蔵室冷却ファン」に、「冷凍室用の第二の電動ファン」は「冷凍室冷却ファン」に、「冷媒回路」は「冷媒流路」に、それぞれ相当する。
　　　
　また、引用発明の「冷蔵室用の第一の蒸発器、または、冷凍室用の第二の蒸発器への冷媒回路を前記流路制御手段によって交互に切替えることによって、冷蔵室と冷凍室とを交互に冷却できる冷蔵庫」は、本願発明の「冷蔵室蒸発器、または、冷凍室蒸発器への冷媒流路を前記切替弁によって交互に切替えることによって、冷蔵室を冷却する冷蔵モードと冷凍室を冷却する冷凍モードを交互に行える冷蔵庫」に相当し、引用発明の「流路制御手段を第三の位置とすることによって冷蔵室用の第一の蒸発器側と、冷凍室用の第二の蒸発器側の両冷媒回路を遮断し」は、流路制御手段の第三の位置が冷媒を流さない位置であることから、本願発明の「切替弁を全閉状態とすることによって冷蔵室蒸発器側と冷凍室蒸発器側の両冷媒流路を遮断し」に、それぞれ、相当する。
　
　したがって、両者は、本願発明の用語を用いて表現すると、次の点で一致する。
　　　
（一致点）
「圧縮機、凝縮器、切替弁が順次接続され、この切替弁には、冷蔵室蒸発器と冷凍室蒸発器とが、各々絞り機構を介して並列に接続された冷凍サイクルを有し、前記各蒸発器には庫内に冷気循環を行う冷蔵室冷却ファンと冷凍室冷却ファンがそれぞれ配置され、
　前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行える冷蔵庫において、
　前記冷蔵庫の制御手段が前記圧縮機を停止させるときは、
前記切替弁を全閉状態とすることによって前記冷蔵室蒸発器側と前記冷凍室蒸発器側の両冷媒流路を遮断し、
　前記圧縮機を停止させる冷蔵庫。」
　
　そして、両者は、次の点で相違する（対応する引用発明（引用例１記載）の用語を（　）内に示す）。
　　
（相違点ａ）
　本願発明の制御手段は、「圧縮機を停止させるときは、前記切替弁を全閉状態とすることによって前記冷蔵室蒸発器側と前記冷凍室蒸発器側の両冷媒流路を遮断し、その遮断後に前記圧縮機を停止させ」るのに対し、引用発明の制御手段は、圧縮機（能力可変型圧縮機）を停止させるときは、前記切替弁（流路制御手段）を全閉状態（第三の位置）とすることによって前記冷蔵室蒸発器（冷蔵室用の第一の蒸発器、）側と前記冷凍室蒸発器（冷凍室用の第二の蒸発器）側の両冷媒流路（冷媒回路）を遮断し、前記圧縮機（能力可変型圧縮機）を停止させるものであるが、切替弁の遮断後に圧縮機を停止させるものであるか明らかでない点。
　
（相違点ｂ）
　本願発明の制御手段は、「圧縮機を停止してから所定時間経過後であって、次回の起動までに、切替弁によって冷蔵室蒸発器側に冷媒流路を切替える」ものであるのに対し、引用発明の制御手段はその機能に欠ける点。
　
４．判断
　上記相違点について検討する。
（相違点ａについて）
　引用例１には、圧縮機停止時に、流路制御手段を第三の位置として冷媒移動を防止するため、停止中に高温のガス冷媒がいずれの蒸発器へも流入しないので、蒸発器への熱負荷の流入を防止できる旨記載されている（記載「（１）ウ」参照）。
　　　
　また、凝縮器下流の弁を閉じた後、圧縮機を停止することは、本願出願前周知の技術（例えば、特開平７−２４８１６４号公報、特開平７−１９０５１０号公報参照。）であるから、圧縮機停止にあたり、蒸発器への熱負荷の流入をより確実に防止するために、まず流路制御手段を第三の位置として冷媒移動を止めてから圧縮機を停止するようにして、相違点ａに係る本願発明の発明特定事項のように、圧縮機を停止させるときは、切替弁を全閉状態とすることによって冷蔵室蒸発器側と冷凍室蒸発器側の両冷媒流路を遮断し、その遮断後に前記圧縮機を停止させることは、当業者であれば容易に想到し得た事項である。
　
（相違点ｂについて）
　引用例２には、圧縮機１、凝縮器２、切替弁にあたる二方電磁弁５、絞り機構にあたるキャピラリチューブ３、蒸発器４が順次連設されている電気冷蔵庫の冷凍サイクルにおいて、冷凍室あるいは冷蔵室を一定温度に保つため、圧縮機を断続的に運転するにあたり、圧縮機の運転停止時に、凝縮器内の高温ガス冷媒が蒸発器内に侵入するのを防止するため、二方電磁弁５を閉状態とするとともに、圧縮機が再起動する際に、モータのトルク不足で起動できないことのないように、圧縮機の運転直前に二方電磁弁５を数分間開状態にして冷媒を移動させ、圧縮機の吸込側と吐出側との圧力差を低減するものが記載されている（記載「（２）ア」参照）。
　　
　そこで、圧縮機の再起動を容易にするために、引用発明に引用例２記載のものを適用し、所定時間後の圧縮機の再起動前に、制御手段に切替弁（流路制御手段）を切替えさせ、冷媒流路（冷媒回路）を開くようにすることは当業者が容易に想到し得たことであるが、切替弁（流路制御手段）を冷蔵室蒸発器（冷蔵室用の第一の蒸発器）側と冷凍室蒸発器（冷凍室用の第二の蒸発器）側のいずれに切替えるかについて検討するに、引用例１には、第一の蒸発器３と第二の蒸発器５の一方の側を遮断して圧縮機１２を停止させるものの場合には、比較的高温の冷蔵室用の第一の蒸発器３側を開いておけば低温側への熱負荷の流入を避けることができる旨記載されており、高圧冷媒と比較的温度差の少ない冷蔵室用の第一の蒸発器３側に切替えた方が熱負荷流入の影響が少ないことが示唆されている（記載「（１）エ、オ」参照。）ことを勘案すると、冷蔵室蒸発器（冷蔵室用の第一の蒸発器）側を開くように冷媒流路（冷媒回路）を切替えることは、引用例２記載のものの適用にあたって当業者が格別の困難なく選択し得た事項である。
　
　そして、本願発明による効果も、引用発明及び引用例１、２に記載されたもの及び周知技術から当業者が予測し得た程度のものであって、格別のものとはいえない。
　
５．むすび
　したがって、本願発明は、引用発明及び引用例１、２に記載されたもの及び周知技術に基いて、当業者が容易に発明をすることができたものであるので、特許法第２９条第２項の規定により、特許を受けることができない。
　　　
　そうすると、本願は、他の請求項に係る発明について検討するまでもなく、拒絶すべきものである。
　　
　よって、結論のとおり審決する。